(57)【要約】  【課題】熱対策の十分でない従前のコンピュータに、使用温度条件の厳しい最近の高速書き込み対応のCD-R/RWドライブを内蔵させても問題のないような技術を提供すること。  【解決手段】本発明のCD-R/RWドライブは、書き込み速度を変更する速度変更機能を備えたCD-R/RWドライブであり、その書き込み速度が、最高速度未満の所定の設定速度以上に上がらないように制限されているので、CD-R/RWドライブからの発熱が抑制される。従って、熱対策の十分でない従前のコンピュータの内蔵CD-R/RWドライブが故障した場合には本発明のCD-R/RWドライブと交換することができる。【選択図】      図３
2005243108.tif 000002
【特許請求の範囲】
【請求項１】
書き込み速度を変更する速度変更機能を備えたCD-R/RWドライブが内蔵されたコンピュータにおいて、
前記CD-R/RWドライブの書き込み速度が、最高速度未満の所定の設定速度以上に上がらないように制限されていることを特徴とするCD-R/RWドライブ内蔵コンピュータ。
【請求項２】
書き込み速度を変更する速度変更機能を備えたCD-R/RWドライブにおいて、
書き込み速度が、最高速度未満の所定の設定速度以上に上がらないように制限されていることを特徴とするCD-R/RWドライブ。
【発明の詳細な説明】
【技術分野】
【０００１】
本発明は、高速書き込み速度に対応した最近のCD-R/RWドライブを、従前のCD-R/RWドライブに置き換えて使用する場合における使用環境温度条件が異なる問題を解決するための技術に関するものである。
【背景技術】
【０００２】
デジタル写真処理機器には、処理した画像データをCD-RまたはCD-RWのメディア(回転させる記憶媒体)に書き込むためのCD-R/RWドライブを搭載しているものが多い。
一方、このようなデジタル写真処理機器は、その処理能力を高速化するために制御部（コンピュータ）の高速化が計られている。制御部を高速化するために、コンピュータのＣＰＵの動作クロック周波数を数ＧHzまで高めることが行われている。そのため、コンピュータの内部の発熱が高くなり、コンピュータに内蔵される周辺機器の動作に影響を与えないように、種々の放熱対策等の熱対策を施して周辺機器が要求する使用温度条件を満足するように設計されている。
【発明の開示】
【発明が解決しようとする課題】
【０００３】
しかし、コンピュータのＣＰＵの動作クロック周波数が現在程高くはなかった時期に設計・制作されたデジタル写真処理機器の場合には、コンピュータの内部の温度上昇も最近程顕著ではなかった。また、その当時のコンピュータに内蔵されたCD-R/RWドライブは、現在のCD-R/RWドライブの程の高速書き込みは出来なかったので使用温度条件は厳しくはなかった。従って、その当時のコンピュータ（これを従前のコンピュータという。）の場合には、現在程の放熱対策等は施されていなかった。
【０００４】
現在程の放熱対策等は施されていない従前のコンピュータは、現在でも継続して使用されていることが多い。
そして、そのような熱対策の十分でない従前のコンピュータのCD-R/RWドライブが故障することがあるが、そのようなCD-R/RWドライブの故障の場合等には、故障したCD-R/RWドライブだけ同様の仕様の新品と入れ替えることで引き続き使用することが可能になる。
【０００５】
ところが、現在では、設計当時と同様の仕様のCD-R/RWドライブは入手することが困難であって、現在では高速書き込み対応の最新型のCD-R/RWドライブが入手しやすい。
しかし、高速書き込み対応の最新型のCD-R/RWドライブを、熱対策の十分でない従前の設計のコンピュータに内蔵させると、使用温度条件の問題が発生する。
即ち、現在の高速書き込み対応のCD-R/RWドライブは、使用温度条件が厳しくなっており、熱対策の施されていない従前の設計のコンピュータに内蔵させると、動作が保証できないという問題が発生する。
【０００６】
そこで、本発明は、熱対策の十分でない従前のコンピュータに、使用温度条件の厳しい最近の高速書き込み対応のCD-R/RWドライブを内蔵させても問題のないような技術を提供することを目的としてなされたものである。
【課題を解決するための手段】
【０００７】
本発明にかかるCD-R/RWドライブ内蔵コンピュータは、
書き込み速度を変更する速度変更機能を備えたCD-R/RWドライブが内蔵されたコンピュータにおいて、
前記CD-R/RWドライブの書き込み速度が、最高速度未満の所定の設定速度以上に上がらないように制限されていることを特徴としている。
また、本発明にかかるCD-R/RWドライブは、
書き込み速度を変更する速度変更機能を備えたCD-R/RWドライブにおいて、
書き込み速度が、最高速度未満の所定の設定速度以上に上がらないように制限されていることを特徴としている。
【０００８】
CD-R/RWドライブの書き込み速度の制御方式としては、基本的な方式として、線速度を一定とするCLV方式と角速度を一定とするCAV方式がある。これらの方式は書き込み速度が低いCD-R/RWドライブに採用されていた。
最近の24倍速以上のCD-R/RWドライブの場合には、前記何れの方式を基本とする場合でも、内周は低速で書き込み、外周になると高速で書き込むように切り換えるように構成されている。そのために書き込み速度を変更し得る速度変更機能を備えている。
なお、高速で書き込む場合にはレーザーパワーも大きくし、バッファメモリも増やしている。
CD-R/RWドライブの主な発熱源は、モータとモータ駆動回路であり、高速書き込みの場合にはモータの回転数を高くするためCD-R/RWドライブからの発熱が高くなる。そのため、CD-R/RWドライブの温度上昇を抑えるためには周囲の環境温度が低いことが必要となる。そのような事情から、高速書き込み対応のCD-R/RWドライブは使用温度条件が厳しく（低く）設定されているのである。
例えば、従前の設計のコンピュータに搭載されていた低速のCD-R/RWドライブは45°Ｃでも動作が保証されるが、最近の高速のCD-R/RWドライブの場合には40°Ｃ以下でないと動作保証がされない製品が多い。
【発明の効果】
【０００９】
本発明によれば、CD-R/RWドライブの書き込み速度を、最高速度未満の所定の設定速度以上に上がらないように制限することによって、当該CD-R/RWドライブを、熱対策が十分でない従前のコンピュータに内蔵した場合に、使用温度条件が緩い低い書き込み速度だけで運転することができるので、書き込み速度が高くなり過ぎて使用温度条件を逸脱することを防止できる。従って、熱対策の十分でない従前のコンピュータに、使用温度条件の厳しい最近の高速書き込み対応のCD-R/RWドライブを内蔵させても問題無く使用することができる。
【発明を実施するための最良の形態】
【００１０】
以下に、本発明にかかるCD-R/RWドライブの実施の形態を採用した写真処理システムを図面に基づいて詳細に説明する。
図１において、１は写真処理システムであり、現像済みのフィルムの画像を読み取るスキャナ11と、前記スキャナ11で読み取った画像データや記憶媒体から読み取った画像データを画像処理して出力するパソコンＰＣと、前記パソコンＰＣから出力された画像データをプリントデータに変換して印画紙に焼き付けて現像処理する焼き付け現像処理部12とを備えている。
【００１１】
前記パソコンＰＣは、図２に示したように、ＣＰＵ３と、キーボードやマウス等の入力装置４と、ハードディスク５と、ＣＤ−ＲやＤＶＤ−ＲＡＭメディアを読み書きできるCD-R/RWドライブ61と各種メモリカード等を読み書きできるカードドライブ62と、画像データの入出力装置７と、ディスプレイ装置８等を備えている。
操作者は、前記入力装置４を操作して種々の編集条件や画像処理条件等を入力して画像処理の指示を前記ＣＰＵ３に与える。
【００１２】
前記焼き付け現像処理部12は、前記パソコンＰＣから出力される画像データに基づいて印画紙に焼き付けるとともに、所定の薬液によって現像して、仕上がりプリントとして排出するように構成されている。
【００１３】
次に、前記パソコンＰＣの動作及び、前記CD-R/RWドライブ61の構成を詳細に説明する。
前記ハードディスク５には、ＯＳとして例えば、Windows−2000(MicroSoft社商標)がインストールされ、さらに、画像処理用のアプリケーションがインストールされている  。そして、当該パソコンＰＣの起動時には前記Windows−2000(MicroSoft社商標)が起動して、前記画像処理用のアプリケーションが立ち上がるように設定されている。
なお、前記パソコンＰＣは特許請求の範囲に記載されたCD-R/RWドライブ内蔵コンピュータに対応する構成である。
【００１４】
前記CD-R/RWドライブ61は最高書き込み速度が52倍速のドライブであり、図３に示したように、内蔵するコントローラ63によって、24倍速と52倍速に書き込み速度を変更する速度変更機能を具備している。
前記速度変更機能は、書き込み対象のメディアをチェックして52倍速で書き込み可能であれば52倍速で書き込むが、52倍速での書き込みに対応していなかったり、テスト書き込みにおいてエラーが発生したりする等の原因で、52倍速書き込みが安全で無い場合には24倍速で書き込むように変更する機能である。また、内周では24倍速で書き込むが、外周では52倍速に変更して書き込むように制御する機能も含んでいる。
【００１５】
本発明のCD-R/RWドライブ61は、さらに、前記コントローラ63の設定を変更することによって24倍速に固定され、52倍速にならないように制限されている。
例えば、前記コントローラ63に対してＤＩＰスイッチやジャンパピン等の設定によって速度変更機能に制限をかけたり、前記コントローラ63の動作を制御するためにフラッシュメモリ等に書き込まれたプログラム（ファームウェア）を書き換えることによって速度変更機能に制限をかけている。
【００１６】
このように、前記CD-R/RWドライブ61の書き込み速度は24倍速に制限されているので、CD-R/RWドライブ61のモータやモータ駆動回路からの発熱は少ない。従って、周囲の環境温度が多少高くてもCD-R/RWドライブの温度上昇によるトラブルの発生は防止できる。
従って、前記CD-R/RWドライブ61は、熱対策の十分でないパソコン（例えば、従前の設計のパソコン）に装着しても問題なく使用することができるのである。
なお、書き込み速度を制限しても、従前の設計のパソコンは、高速書き込みが要求されていないので、なんら問題はない。
【００１７】
以上のように、本発明によれば、熱対策の十分でない従前のパソコンのCD-R/RWドライブが故障した場合には、従前のCD-R/RWドライブが入手できなくても、入手しやすい高速書き込み対応のCD-R/RWドライブの書き込み速度を前述したように低い書き込み速度に制限することによって、故障したCD-R/RWドライブと交換することができる。
このようにして、従前のパソコンを継続して使用することができ、使い慣れた写真処理システム１を継続して使用することができるという効果が得られるのである。
【実施例１】
【００１８】
本発明の実施例において使用したCD-R/RWドライブは、書き込み速度を、24倍速もしくは52倍速に変更し得る速度変更機能を備えている。そして、24倍速のときの使用温度条件は45°Ｃで、52倍速のときの使用温度条件は40°Ｃである。
そのため、書き込み速度を24倍速に制限することによって、使用温度条件が45°Ｃという、従前のCD-R/RWドライブと同様の使用温度条件のCD-R/RWドライブが得られることになる。
【００１９】
そこで、熱対策の十分でない従前のパソコンのCD-R/RWドライブが故障した場合でも、入手しやすい高速書き込み対応のCD-R/RWドライブを、故障したCD-R/RWドライブと交換することができる。
【産業上の利用可能性】
【００２０】
以上の実施の形態では、写真処理システムに組み込んだパソコンＰＣに内蔵するCD-R/RWドライブで説明したが、本発明は、写真処理システムだけでなく、低騒音パソコンのように熱対策のためのファンを動作させたくない場合にも採用することができる。
また、前記CD-R/RWドライブはDVD-RAMドライブ等の回転させるメディアを用いる装置に置き換えることもできる。
【図面の簡単な説明】
【００２１】
【図１】本発明にかかるCD-R/RWドライブ内蔵コンピュータの実施の形態を備えた写真処理システムの構成図である。
【図２】前記CD-R/RWドライブ内蔵コンピュータの構成図である。
【図３】本発明のCD-R/RWドライブの構成図である。
【符号の説明】
【００２２】
ＰＣ  パソコン
１  写真処理システム
11  スキャナ
12  現像処理部
ＰＣ  パソコン
61  CD-R/RWドライブ装置
63  コントローラ
【図１】
2005243108.tif 000003
【図２】
2005243108.tif 000004
【図３】
2005243108.tif 000005